(57)【要約】      （修正有）【課題】日を跨ぐ設定変更の場合でも１度の操作でスケジュールを設定変更可能とする。【解決手段】連続する複数日のスケジュールを取得する取得部２０２と、取得部２０２により取得されたスケジュールに基づきバーグラフを有する画面を生成する画面生成部２０３と、バーグラフに対するドラッグに従って当該バーグラフの表示を変更する表示変更部２０５と、バーグラフに対するドラッグが当該バーグラフの端部を超えた場合に、当該ドラッグに従って当該バーグラフを延長する延長部２０６と、当該バーグラフに対するドラッグの終了を検出した場合に、当該バーグラフの延長を取消し、次の日又は前の日のスケジュールを示すバーグラフの表示を変更する反映部２０７と、取得部２０２により取得されたスケジュールに対し、当該ドラッグの終了に相当する時刻にスケジュールを追加する設定変更部２０８とを備えた。【選択図】図１
2020135732.tif 000002
【特許請求の範囲】
【請求項１】
設備を動作させるプログラムの連続する複数日のスケジュールを取得する取得部と、
前記取得部により取得されたスケジュールに基づいて、日毎のスケジュールを示すバーグラフを有する画面を生成する画面生成部と、
前記画面生成部により生成された画面が有するバーグラフに対するドラッグに従って当該バーグラフの表示を変更する表示変更部と、
前記画面生成部により生成された画面が有するバーグラフに対するドラッグが当該バーグラフの端部を超えた場合に、当該ドラッグに従って当該バーグラフを延長する延長部と、
前記延長部によりバーグラフが延長されている状態で、当該バーグラフに対するドラッグの終了を検出した場合に、当該バーグラフの延長を取消し、当該延長した分、次の日又は前の日のスケジュールを示すバーグラフの表示を変更する反映部と、
前記取得部により取得されたスケジュールに対し、前記画面生成部により生成された画面が有するバーグラフに対するドラッグの開始に相当する時刻のスケジュールを取消し、当該ドラッグの終了に相当する時刻にスケジュールを追加する設定変更部と
を備えたスケジュール制御装置。
【請求項２】
前記延長部は、バーグラフを一方向にスクロールさせながら当該バーグラフを延長する
ことを特徴とする請求項１記載のスケジュール制御装置。
【請求項３】
前記取得部により取得されたスケジュールは、アナログ設定値が時刻単位で設定され、
前記画面生成部により生成される画面が有するバーグラフは、幅方向がアナログ設定値の大きさを示す
ことを特徴とする請求項１又は請求項２記載のスケジュール制御装置。
【請求項４】
設備を動作させるプログラムの連続する複数日のスケジュールを取得する取得ステップと、
前記取得ステップにおいて取得したスケジュールに基づいて、日毎のスケジュールを示すバーグラフを有する画面を生成する画面生成ステップと、
前記画面生成ステップにおいて生成した画面が有するバーグラフに対するドラッグに従って当該バーグラフの表示を変更する表示変更ステップと、
前記画面生成ステップにおいて生成した画面が有するバーグラフに対するドラッグが当該バーグラフの端部を超えた場合に、当該ドラッグに従って当該バーグラフを延長する延長ステップと、
前記延長ステップにおけるバーグラフが延長されている状態で、当該バーグラフに対するドラッグの終了を検出した場合に、当該バーグラフの延長を取消し、当該延長した分、次の日又は前の日のスケジュールを示すバーグラフの表示を変更する反映ステップと、
前記取得ステップにおいて取得したスケジュールに対し、前記画面生成ステップにおいて生成した画面が有するバーグラフに対するドラッグの開始に相当する時刻のスケジュールを取消し、当該ドラッグの終了に相当する時刻にスケジュールを追加する設定変更ステップと
を有するスケジュール制御方法。
【発明の詳細な説明】
【技術分野】
【０００１】
この発明は、設備を動作させるプログラムのスケジュールを設定するスケジュール制御装置及びスケジュール制御方法に関する。
【背景技術】
【０００２】
ビル監視システムでは、空調装置等の設備を動作させるプログラムのスケジュールを設定し、当該スケジュールに従って当該設備を制御するスケジュール制御機能が存在する（例えば特許文献１参照）。このスケジュール制御機能では、例えば「平日の９時に設備をＯＮ」又は「平日の１８時に設備をＯＦＦ」のように、予め定められたスケジュールに従って、設備を制御する。
【先行技術文献】
【特許文献】
【０００３】
【特許文献１】特開２０１３−０２５３３７号公報
【発明の概要】
【発明が解決しようとする課題】
【０００４】
一方、スケジュール制御機能におけるスケジュールの設定では、バーグラフを用いて１日のスケジュールを表現し、スケジュールの設定変更を可能としていた。しかしながら、このスケジュール設定では、日を跨ぐ設定変更の場合に、２つの操作が必要であり煩雑であった。
【０００５】
例えば、ある日に「１８時に設備をＯＦＦ」というスケジュールが設定されており、これを翌日の「１時に設備をＯＦＦ」に変更する場合を考える。この場合、まず、ユーザは、「１８時に設備をＯＦＦ」というスケジュールを取消す操作を行う。次に、ユーザは、翌日に「１時に設備をＯＦＦ」というスケジュールを追加する操作を行う。このように、従来のスケジュール設定では、日を跨ぐ設定変更の場合に、２つの操作が必要であった。
【０００６】
この発明は、上記のような課題を解決するためになされたもので、日を跨ぐ設定変更の場合でも１度の操作でスケジュールを設定変更可能なスケジュール制御装置及びスケジュール制御方法を提供することを目的としている。
【課題を解決するための手段】
【０００７】
この発明に係るスケジュール制御装置は、設備を動作させるプログラムの連続する複数日のスケジュールを取得する取得部と、取得部により取得されたスケジュールに基づいて、日毎のスケジュールを示すバーグラフを有する画面を生成する画面生成部と、画面生成部により生成された画面が有するバーグラフに対するドラッグに従って当該バーグラフの表示を変更する変更部と、画面生成部により生成された画面が有するバーグラフに対するドラッグが当該バーグラフの端部を超えた場合に、当該ドラッグに従って当該バーグラフを延長する延長部と、延長部によりバーグラフが延長されている状態で、当該バーグラフに対するドラッグの終了を検出した場合に、当該バーグラフの延長を取消し、当該延長した分、該当するバーグラフの表示を変更する反映部と、取得部により取得されたスケジュールに対し、画面生成部により生成された画面が有するバーグラフに対するドラッグの開始に相当する時刻のスケジュールを取消し、当該ドラッグの終了に相当する時刻にスケジュールを追加する設定変更部とを備えたことを特徴とする。
【発明の効果】
【０００８】
この発明によれば、上記のように構成したので、日を跨ぐ設定変更の場合でも１度の操作でスケジュールを設定変更可能となる。
【図面の簡単な説明】
【０００９】
【図１】実施の形態１に係る監視システムの構成例を示す図である。
【図２】実施の形態１に係る監視装置によるスケジュールの設定変更動作例を示すフローチャートである。
【図３】実施の形態１における画面生成部により生成された画面の一例を示す図である。
【図４】実施の形態１における変更部により変更された画面の一例を示す図である。
【図５】実施の形態１における延長部により延長された画面の一例を示す図である。
【図６】実施の形態１における反映部により反映された画面の一例を示す図である。
【図７】図７Ａは、実施の形態２における画面生成部により生成された画面の一例を示す図であり、図７Ｂはバーグラフの説明図である。
【図８】実施の形態２における画面生成部により生成された画面の別の一例を示す図である。
【発明を実施するための形態】
【００１０】
以下、この発明の実施の形態について図面を参照しながら詳細に説明する。
実施の形態１．
図１は実施の形態１に係る監視システムの構成例を示す図である。
監視システムは、ビル、工場又はプラント等の施設におけるＩ／Ｏを監視する。監視システムは、図１に示すように、複数のコントローラ１、及び監視装置２を備えている。コントローラ１と監視装置２は、ＢＡＣｎｅｔ等のオープンネットワークを介して接続されている。以下では、スケジュール制御装置が監視装置２に適用された場合を示す。
【００１１】
コントローラ１は、施設内に設置された空調装置等の設備（不図示）の制御を行う。この際、コントローラ１は、監視装置２から受信したスケジュールに基づいて、設備の制御を行う。スケジュールは、プログラム毎に存在し、当該プログラムにより動作する設備の運用予定を示す。
【００１２】
監視装置２は、スケジュールを制御する機能（スケジュール制御装置）を有し、コントローラ１に対してスケジュールを送信することでコントローラ１を介して設備を制御する。以下では、監視装置２が有するスケジュールを制御する機能のうち、スケジュールの設定変更に関する機能についてのみ説明を行う。監視装置２は、スケジュールの設定変更に関する機能として、図１に示すように、記憶部２０１、取得部２０２、画面生成部２０３、表示部２０４、表示変更部２０５、延長部２０６、反映部２０７及び設定変更部２０８を備えている。監視装置２は、システムＬＳＩ（Ｌａｒｇｅ  Ｓｃａｌｅ  Ｉｎｔｅｇｒａｔｉｏｎ）等の処理回路、又はメモリ等に記憶されたプログラムを実行するＣＰＵ（Ｃｅｎｔｒａｌ  Ｐｒｏｃｅｓｓｉｎｇ  Ｕｎｉｔ）等により実現される。
【００１３】
記憶部２０１は、スケジュールを示すデータを記憶する。スケジュールには、該当するプログラムにより動作する設備の運用の状態変化に関する情報（状態変化させる時刻及び状態変化の内容を示す情報）が含まれている。記憶部２０１は、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｃ）又はメモリ等によって構成される。
図１では、記憶部２０１が監視装置２の内部に設けられた場合を示している。しかしながら、これに限らず、記憶部２０１は監視装置２の外部に設けられていてもよい。
【００１４】
取得部２０２は、記憶部２０１から対象とするプログラムの連続する複数日のスケジュールを取得する。なお、連続する複数日のスケジュールは、例えば、記憶部２０１に記憶されている全ての日のスケジュールでもよいし、ユーザにより選択された連続する複数日のスケジュールでもよい。
【００１５】
画面生成部２０３は、取得部２０２により取得されたスケジュールに基づいて、バーグラフを有する画面を生成する。バーグラフは、日毎に生成され、１日（０時００分〜２３時５９分）のスケジュールを示す棒グラフである。このバーグラフには、スケジュールが示す情報に応じ、状態変化させる時刻に相当する点に変化点が設定され、また、変化点間に状態変化の内容を識別可能な表示（色又は文字等を用いた表示）がされる。
【００１６】
表示部２０４は、画面生成部２０３により生成された画面を表示する。なお、表示部２０４は、表示変更部２０５、延長部２０６又は反映部２０７により上記画面が有するバーグラフの表示が変更された場合には、当該変更後の画面を表示する。
図１では、表示部２０４が監視装置２の内部に設けられた場合を示している。しかしながら、これに限らず、表示部２０４は監視装置２の外部に設けられていてもよい。
【００１７】
表示変更部２０５は、表示部２０４に表示された画面（画面生成部２０３により生成された画面）が有するバーグラフに対するドラッグに従って当該バーグラフの表示を変更する。すなわち、表示変更部２０５は、バーグラフ上の変化点に対するドラッグに従って当該変化点を移動させる。
【００１８】
延長部２０６は、表示部２０４に表示された画面（画面生成部２０３により生成された画面）が有するバーグラフに対するドラッグが当該バーグラフの端部を超えた場合に、当該ドラッグに従って当該バーグラフを延長する。例えば、延長部２０６は、ドラッグがバーグラフの終端（２３時５９分）を上回った場合に、当該ドラッグに従って当該バーグラフの終端を延長する。また、延長部２０６は、ドラッグがバーグラフの始端（０時００分）を下回った場合に、当該ドラッグに従って当該バーグラフの始端を延長する。この際、延長部２０６は、ドラッグに従って、バーグラフを一方向にスクロールさせながら当該バーグラフを延長してもよいし、単にバーグラフ自体を延長してもよい。
【００１９】
反映部２０７は、延長部２０６によりバーグラフが延長されている状態で、当該バーグラフに対するドラッグの終了を検出した場合に、当該バーグラフの延長を取消し、当該延長した分、次の日又は前の日のスケジュールを示すバーグラフの表示を変更する。例えば、反映部２０７は、延長部２０６によりバーグラフの終端が延長されている状態で、当該バーグラフに対するドラッグの終了を検出した場合には、当該バーグラフの終端の延長を取消し、次の日のスケジュールを示すバーグラフにおける当該延長した分の時刻に相当する点に変化点を追加する。また、反映部２０７は、延長部２０６によりバーグラフの始端が延長されている状態で、当該バーグラフに対するドラッグの終了を検出した場合には、当該バーグラフの始端の延長を取消し、前の日のスケジュールを示すバーグラフにおける当該延長した分の時刻に相当する点に変化点を追加する。
【００２０】
設定変更部２０８は、取得部２０２により取得されたスケジュールに対し、画面生成部２０３により生成された画面が有するバーグラフに対するドラッグの開始に相当する時刻のスケジュールを取消し、当該ドラッグの終了に相当する時刻にスケジュールを追加する。この設定変更部２０８による変更後のスケジュールを示すデータは、記憶部２０１に記憶されて更新される。
【００２１】
次に、図１に示す監視装置２によるスケジュールの設定変更動作例について、図２を参照しながら説明する。なお、記憶部２０１は、スケジュールを示すデータを記憶している。
【００２２】
監視装置２によるスケジュールの設定変更動作例では、図２に示すように、まず、取得部２０２は、記憶部２０１から対象とするプログラムの連続する複数日のスケジュールを取得する（ステップＳＴ２０１、取得ステップ）。
【００２３】
次いで、画面生成部２０３は、取得部２０２により取得されたスケジュールに基づいて、バーグラフを有する画面を生成する（ステップＳＴ２０２、画面生成ステップ）。
【００２４】
次いで、表示部２０４は、画面生成部２０３により生成された画面を表示する（ステップＳＴ２０３、表示ステップ）。
【００２５】
次いで、表示変更部２０５は、表示部２０４に表示された画面（画面生成部２０３により生成された画面）が有するバーグラフに対するドラッグに従って当該バーグラフの表示を変更する（ステップＳＴ２０４、表示変更ステップ）。
【００２６】
次いで、延長部２０６は、表示部２０４に表示された画面（画面生成部２０３により生成された画面）が有するバーグラフに対するドラッグが当該バーグラフの端部を超えた場合に、当該ドラッグに従って当該バーグラフを延長する（ステップＳＴ２０５、延長ステップ）。
【００２７】
次いで、反映部２０７は、延長部２０６によりバーグラフが延長されている状態で、当該バーグラフに対するドラッグの終了を検出した場合に、当該バーグラフの延長を取消し、当該延長した分、次の日又は前の日のバーグラフの表示を変更する（ステップＳＴ２０６、反映ステップ）。
【００２８】
なお、画面生成部２０３により生成された画面が有するバーグラフに対するドラッグが当該バーグラフの端部を超えていない場合には、ステップＳＴ２０５及びステップＳＴ２０６に示す処理は実施されない。
【００２９】
次いで、設定変更部２０８は、取得部２０２により取得されたスケジュールに対し、画面生成部２０３により生成された画面が有するバーグラフに対するドラッグの開始に相当する時刻のスケジュールを取消し、当該ドラッグの終了に相当する時刻にスケジュールを追加する（ステップＳＴ２０７、設定変更ステップ）。この設定変更部２０８による変更後のスケジュールを示すデータは、記憶部２０１に記憶されて更新される。
【００３０】
次に、図１に示す監視装置２によるスケジュールの設定変更動作の具体例について、図３〜６を参照しながら説明する。以下では、スケジュールが示す設備の運用予定が発停（ＯＮ−ＯＦＦ）予定のみである場合を示す。
図３に示す画面には、本日のスケジュールを示す第１のバーグラフ（符号３０１に示すグラフ）と、翌日のスケジュールを示す第２のバーグラフ（符号３０２に示すグラフ）とが表示されている。図３に示す第１のバーグラフでは、「８時に設備をＯＮ」とするスケジュール及び「１６時に設備をＯＦＦ」とするスケジュールが組まれていることがわかる。同様に、図３に示す第２のバーグラフでは、「８時に設備をＯＮ」とするスケジュール及び「１６時に設備をＯＦＦ」とするスケジュールが組まれていることがわかる。そして、以下では、ユーザが、スケジュール制御装置を用いて、図３に示す第１のバーグラフにおける「１６時に設備をＯＦＦ」というスケジュールを「翌日の４時に設備をＯＦＦ」に変更する場合を示す。
【００３１】
この場合、まず、ユーザは、図３に示す第１のバーグラフ上の１６時に相当する点に存在する変化点（符号３０１１に示す点）をクリックし、右側（第１のバーグラフの終端側）にドラッグする。このユーザ操作に従い、図３，４に示すように、表示変更部２０５は、第１のバーグラフ上の変化点（符号３０１１に示す点）を変化点（符号３０１２に示す点）の位置に移動させる。図４では、ユーザによるドラッグが第１のバーグラフの終端（２３時５９分）まで移動した場合を示している。
【００３２】
今回の例では、図３に示す第１のバーグラフにおける「１６時に設備をＯＦＦ」というスケジュールを「翌日の４時に設備をＯＦＦ」に変更するため、ユーザは第１のバーグラフの終端を超えてドラッグすることになる。このユーザ操作に従い、図５に示すように、第１のバーグラフの終端を延長する。図５では、延長部２０６は、第１のバーグラフを左側にスクロールさせながら第１のバーグラフの終端を延長している。
【００３３】
その後、ユーザは、第１のバーグラフ上の「翌日の４時」に相当する点でドラッグを終了（ドロップ）する。このユーザ操作に従い、図６に示すように、反映部２０７は、第１のバーグラフの終端の延長を取消し、第２のバーグラフに、当該延長した分の時刻（４時）に相当する点に変化点（符号３０２１に示す点）を追加する。
【００３４】
そして、設定変更部２０８は、本日の１６時のスケジュールを取消し、翌日の４時にスケジュールを追加する。すなわち、設定変更部２０８は、本日の「１６時に設備をＯＦＦ」というスケジュールを取消し、翌日に「４時に設備をＯＦＦ」というスケジュールを追加する。この設定変更部２０８による変更後のスケジュールを示すデータは、記憶部２０１に記憶されて更新される。
【００３５】
なお上記では、スケジュール制御装置が監視装置２に適用された場合を示した。しかしながら、これに限らず、スケジュール制御装置は、他の装置に適用されていてもよいし、また、単独で構成されていてもよい。
【００３６】
以上のように、この実施の形態１によれば、スケジュール制御装置は、設備を動作させるプログラムの連続する複数日のスケジュールを取得する取得部２０２と、取得部２０２により取得されたスケジュールに基づいて、日毎のスケジュールを示すバーグラフを有する画面を生成する画面生成部２０３と、画面生成部２０３により生成された画面が有するバーグラフに対するドラッグに従って当該バーグラフの表示を変更する表示変更部２０５と、画面生成部２０３により生成された画面を有するバーグラフに対するドラッグが当該バーグラフの端部を超えた場合に、当該ドラッグに従って当該バーグラフを延長する延長部２０６と、延長部２０６によりバーグラフが延長されている状態で、当該バーグラフに対するドラッグの終了を検出した場合に、当該バーグラフの延長を取消し、当該延長した分、次の日又は前の日のスケジュールを示すバーグラフの表示を変更する反映部２０７と、取得部２０２により取得されたスケジュールに対し、画面生成部２０３により生成された画面が有するバーグラフに対するドラッグの開始に相当する時刻のスケジュールを取消し、当該ドラッグの終了に相当する時刻にスケジュールを追加する設定変更部２０８とを備えた。これにより、実施の形態１に係るスケジュール制御装置は、日を跨ぐ設定変更の場合でも１度の操作でスケジュールを設定変更可能となる。また、実施の形態１に係るスケジュール制御装置では、バーグラフを用いてスケジュールの設定変更を行っているため、スケジュールの設定状況が視覚的に認識し易い。
【００３７】
実施の形態２．
実施の形態１では、スケジュールが示す設備の運用予定が発停（ＯＮ−ＯＦＦ）予定である場合を例に説明を行った。しかしながら、スケジュールが示す設備の運用予定は、発停予定のみに限らず、温度設定値等のようなアナログ設定値を含んでいてもよい。実施の形態２では、スケジュールに、アナログ設定値が時刻単位で設定されている場合での画面表示の一例について説明する。以下では、図１に示す監視装置２を例に説明を行う。
【００３８】
なお、実施の形態２における記憶部２０１に記憶されているスケジュールは、アナログ設定値が時刻単位で設定されている。
【００３９】
また、画面生成部２０３により生成される画面が有するバーグラフは、幅方向がアナログ設定値の大きさを示している。また、画面生成部２０３は、スケジュールにおけるアナログ設定値の最大値及び最小値に基づく規定値を用い、当該最大値に規定値を加算した値を、バーグラフにおける幅方向の最大幅とし、当該最小値から規定値を減算した値を、当該幅方向の最小幅（幅ゼロ）として、当該アナログ設定値の大きさを相対的に表す。
【００４０】
実施の形態２に係る監視装置２のその他の構成は、実施の形態１に係る監視装置２の構成と同様であり、その説明を省略する。
【００４１】
次に、実施の形態２に係る監視装置２による画面表示例について、図７を参照しながら説明する。
図７Ａに示す画面には、本日のスケジュールを示す第３のバーグラフ（符号７０１に示すバーグラフ）と、翌日のスケジュールを示す第４のバーグラフ（符号７０２に示すグラフ）とが表示されている。第３のバーグラフは、図７Ｂに示すように、長さ方向（図７Ｂに示すｌ）でアナログ設定値の時間割を示し、幅方向（図７Ｂに示すｗ）で当該アナログ設定値の大きさを示している。なお図７Ｂにおいて、符号７０３は第３のバーグラフが図示されるバーの枠線を示し、符号７０４はバーを示している。また、第４のバーグラフについても同様に構成されている。
【００４２】
このように、スケジュールに含まれるアナログ設定値を所定長さ及び所定幅のバーグラフで示すことで、日毎の時間割及びその大きさをユーザに一目で把握させることができ、設定誤り等を防ぐことができる。なお、バーグラフによるアナログ設定値の表示は、アナログ設定値を高さ方向で示す棒グラフを横に並べたというような単純な技術思想ではない。そもそも、時系列データは折れ線グラフで表すのが一般的であるし、棒グラフは高さ方向と幅方向で他種の値を表現するものではない。
【００４３】
また、画面生成部２０３は、スケジュールにおけるアナログ設定値の最大値及び最小値に基づく規定値を用い、当該最大値に規定値を加算した値を、バーグラフにおける幅方向の最大幅とし、当該最小値から規定値を減算した値を、当該幅方向の最小幅（幅ゼロ）として、当該アナログ設定値の大きさを相対的に表す。
【００４４】
例えば設定範囲が０〜９９９である設備に対し、９時に設定値を２４とし、１７時に設定値を１６とするスケジュールが作成されているとする。ここで、画面生成部２０３が、バーグラフにおける幅方向の最大幅を９９９とし、最小幅を０としてしまうと、１６と２４とでは幅がほぼ変わらず、アナログ設定値の切替わりの段差が把握し難い。
そこで、画面生成部２０３は、スケジュールにおけるアナログ設定値の最大値及び最小値に基づいて、バーグラフにおける幅方向の値を設定する。なお、規定値は、アナログ設定値の最大値と最小値との間のオーダに応じ、アナログ設定値の切替わりの段差が把握できる値に設定される。
【００４５】
例えば、画面生成部２０３は、規定値を０とし、アナログ設定値の最大値である２４をバーグラフにおける幅方向の最大幅とし、最小値である１６を最小幅とする。これにより、アナログ設定値の切替わりの段差を容易に把握可能となる。
また、画面生成部２０３は、規定値を４（＝（２４−１６）／２）とし、２８（＝２４＋４）をバーグラフにおける幅方向の最大幅とし、１２（＝１６−４）を最小幅とする。これにより、バーグラフの上下に余白を設けることができ、バーグラフが更に見易くなる。
【００４６】
なお画面生成部２０３は、上記機能に加え、図８に示すように、バーグラフにおけるアナログ設定値の切替え点の周辺に、当該切替え後のアナログ設定値を数字で表示するようにしてもよい。これにより、アナログ設定値の切替え点及びその値をより把握し易くすることができる。
【００４７】
また、実施の形態２に係る監視装置２によるスケジュールの設定変更動作例については、実施の形態１に係る監視装置２によるスケジュールの設定変更動作例と同様であり、その説明を省略する。
【００４８】
以上のように、この実施の形態２によれば、取得部２０２により取得されたスケジュールは、アナログ設定値が時刻単位で設定され、画面生成部２０３により生成される画面が有するバーグラフは、幅方向がアナログ設定値の大きさを示す。これにより、実施の形態２に係るスケジュール制御装置では、アナログ設定値が時間単位で設定されたスケジュールを示す画面を表示できる。
【００４９】
なお、本願発明はその発明の範囲内において、各実施の形態の自由な組合わせ、或いは各実施の形態の任意の構成要素の変形、若しくは各実施の形態において任意の構成要素の省略が可能である。
【符号の説明】
【００５０】
１  コントローラ
２  監視装置
２０１  記憶部
２０２  取得部
２０３  画面生成部
２０４  表示部
２０５  表示変更部
２０６  延長部
２０７  反映部
２０８  設定変更部
【図１】
2020135732.tif 000003
【図２】
2020135732.tif 000004
【図３】
2020135732.tif 000005
【図４】
2020135732.tif 000006
【図５】
2020135732.tif 000007
【図６】
2020135732.tif 000008
【図７】
2020135732.tif 000009
【図８】
2020135732.tif 000010